(57)【要約】【課題】従来の携帯型情報システムで外部アンテナとＲＦＩＤリーダライタを長いケーブルで接続した構成では、片手で外部アンテナを把持し、他方の片手でＲＦＩＤリーダライタを把持しつつ各処理動作を操作するため操作し難いという問題がある。【解決手段】本発明は、アンテナが設けられた通信部内にヒューマンインターフェース手段を備え、スイッチ１５による読み取り書き込み開始時、ＬＥＤ５１による動作完了確認及び電源スイッチによる装置本体の電源オン・オフを操作でき、さらにＩＤ情報格納部１４によるＩＤ情報による接続照合を行うことにより、情報装置本体１ａと通信部１ｂの接続関係が明確化される携帯型情報システムである。【選択図】      図１
2007025793.tif 000002
【特許請求の範囲】
【請求項１】
無線信号を送受信するアンテナを介して、応答要求信号の送信と、該応答要求信号に応じて情報記憶媒体から送信された応答信号の受信とを行なって、前記情報記憶媒体に記憶される情報の読み出し及び任意情報の書き込みを行う携帯型情報システムであって、
前記携帯型情報システムは電気的に接続された２つの構造体で構成され、
前記アンテナが配置される一方の構造体内には、他方の構造体への駆動制御指示又は該一方の構造体に対するガイド機能を行う少なくとも１つのヒューマンインターフェース手段を備えたことを特徴とする携帯型情報システム。
【請求項２】
前記ヒューマンインターフェース手段は、前記情報記憶媒体の識別情報の読み書き開始を指示するスイッチであることを特徴とする請求項１に記載の携帯型情報システム。
【請求項３】
前記ヒューマンインターフェース手段は、前記情報記憶媒体の識別情報の読み書き結果を示す読み書き結果出力手段であることを特徴とする請求項１に記載の携帯型情報システム。
【請求項４】
前記ヒューマンインターフェース手段は、前記情報記憶媒体が読み書きし易い方向を示す光照射手段であることを特徴とする請求項１に記載の携帯型情報システム。
【請求項５】
前記ヒューマンインターフェース手段は、情報装置の電源をオン又はオフさせるスイッチであることを特徴とする請求項１に記載の携帯型情報システム。
【請求項６】
前記ヒューマンインターフェース手段は、請求項２〜５に記載の複数の手段を有することを特徴とする請求項１に記載の携帯型情報システム。
【請求項７】
前記アンテナが配置された一方の構造体は前記他方の構造体に対して着脱可能に電気的に接続する構成を有し、且つ個体を識別するためのＩＤ情報が記憶されたＩＤ情報格納部を備え、
前記他方の構造体に該一方の構造体を接続した際に、前記ＩＤ情報による照合を行い、一致したときのみに前記情報の読み出し及び任意情報の書き込みが許可されるＩＤ照合手段を有することを特徴とする請求項１に記載の携帯型情報システム。
【請求項８】
前記ＩＤ情報格納部に格納される前記ＩＤ情報は、少なくとも、シリアル番号、アンテナ形状情報、アンテナ特性測定結果及び前記一方の構造体内に設けられた前記ヒューマンインターフェースの種類情報を有していることを特徴とする請求項７に記載の携帯型情報システム。
【発明の詳細な説明】
【技術分野】
【０００１】
この発明は、外部情報記憶媒体に対して無線通信により情報の読み取り又は書き込みを行う携帯型情報システムに関する。
【背景技術】
【０００２】
一般に、小型の集積回路とアンテナとを組み合わせたＲＦＩＤ（Radio Frequency Identification）タグまたはカード状の樹脂製板にＲＦＩＤを埋設した非接触ＩＣカード等の情報記憶媒体と、該情報記憶媒体に記憶された情報を読み取る機能及び書き込む機能を備えたＰＤＡ（Personal Digital Assistant）または非接触ＩＣカードリーダライタ等の携帯型情報端末装置とにより構築されるＲＦＩＤシステムが知られている。
【０００３】
この情報記憶媒体としては、静電誘導方式による無線通信を行い、０〜２［ｍｍ］程度の通信距離を有する密着型と、４００〜５３０［ｋＨｚ］の電磁波を用いた電磁結合方式による無線通信を行い、１０［ｃｍ］程度までの通信距離を有する近接型と、１２５〜１３５［ｋＨｚ］または１３．５６［ＭＨｚ］の電磁波を用いた電磁誘導方式の無線通信を行い、１０〜１００［ｃｍ］程度の通信距離を有する近傍型と、２．４５［ＧＨｚ］のマイクロ波または光を用いたマイクロ波方式または光方式の無線通信を行い、数メートル程度の通信距離を有する遠隔型とがある。交信可能領域内に存在する携帯型情報端末装置と外部情報記憶媒体と間における情報のやり取り（読み取り及び書き込み）は、予め設定された所定の電波を用いて送受されている。
【０００４】
このようなＲＦＩＤシステムには、複数の情報記憶媒体にそれぞれ記憶されている各情報を一括して認識できる点、外部情報記憶媒体に記憶できる情報量（６４〜数１００バイト）が多い点、外部情報記憶媒体に記憶された情報を更新できる点、外部情報記憶媒体が超小型である点、外部情報記憶媒体と携帯型情報端末装置との間に障害物が存在しても情報通信が可能である点等の利点がある。このため、物流業界、医療業界、及び流通業界等様々な業種において、このＲＦＩＤシステムの有益性が注目されている。これらの各業種では、その業種に即した多様な形状や大きさの異なるＲＦＩＤタグが用いられており、そのＲＦＩＤタグに適した無線通信用のアンテナも様々な形態となっている。そのため特許文献１に提案されているような無線通信用のアンテナを外部アンテナとして設け、様々なＲＦＩＤタグに合致した外部アンテナを用意し、業界毎或いはアプリケーション毎に最適な外部アンテナを使用するＲＦＩＤリーダライタがある。
【特許文献１】特開２００１−１５５１２０公報
【発明の開示】
【発明が解決しようとする課題】
【０００５】
前述した特許文献１のように外部アンテナとＲＦＩＤリーダライタをアンテナケーブルで接続した構成においては、そのアンテナケーブルが長い場合、例えば左手にＲＦＩＤリーダライタを把持し、右手で外部アンテナを把持してＲＦＩＤタグに近づけた状態で、左手の操作でＲＦＩＤリーダライタの読み取りスイッチを押したり、画面上に表示された読み取りボタンを押したりすることになり、操作し難いという問題が発生する。又、両手が塞がることを嫌う事態であれば、ＲＦＩＤリーダライタを操作者の近くに置いたり、操作者の着衣例えば、ベルトに装着させたりポケットに入れたりすることになるが、装置の表示画面が見えない、操作し難いなどの問題が発生する。  
そこで、この発明は種々の情報通信に適用可能であり、読み取りや書き込みが操作し易い携帯型情報システムを提供することを目的とする。
【課題を解決するための手段】
【０００６】
この発明は、上述した課題を解決し目的を達成するために、無線信号を送受信するアンテナを介して、応答要求信号の送信と、該応答要求信号に応じて情報記憶媒体から送信された応答信号の受信とを行なって、前記情報記憶媒体に記憶される情報の読み出し及び任意情報の書き込みを行う携帯型情報システムであって、前記携帯型情報システムは電気的に接続された２つの構造体で構成され、前記アンテナが配置される一方の構造体内には、他方の構造体への駆動制御指示又は該一方の構造体に対するガイド機能を行う少なくとも１つのヒューマンインターフェース手段を備えた携帯型情報システムを提供する。
【０００７】
さらに本発明は、前記アンテナが配置された一方の構造体は前記他方の構造体に対して着脱可能に電気的に接続する構成を有し、且つ個体を識別するためのＩＤ情報が記憶されたＩＤ情報格納部を備えて、前記他方の構造体に該一方の構造体を接続した際に、前記ＩＤ情報による照合を行い、一致したときのみに前記情報の読み出し及び任意情報の書き込みが許可されるＩＤ照合手段を有する携帯型情報システムである。
【発明の効果】
【０００８】
本発明にかかる携帯型情報システムによれば、アンテナを内蔵した構造体に操作者とのヒューマンインターフェース手段を備えることによって、操作し易い情報装置を提供することが可能となる。
【発明を実施するための最良の形態】
【０００９】
以下、図面を参照して本発明の実施形態について詳細に説明する。  
図１に第１の実施形態に係る携帯型情報システムのブロック構成の一例を示して説明する。本実施形態の携帯型情報システムは、予め定めた又は電波法に準拠する所定周波数の電波を通じて、情報記憶媒体例えば、ＲＦＩＤタグに対する識別情報の読み取り処理及び情報の書き込み処理を行なう構成を一例として説明する。尚、ＲＦＩＤタグは、情報装置が送信した所定周波数の応答要求信号（無線信号）に応じて、蓄積する各種情報を無線信号として送信する情報記憶媒体である。以下で説明する各実施形態におけるヒューマンインターフェースは、ソフトウェア機能やハードウェア機能のうち、操作者の操作を受け付けたり、そのフィードバックを操作者へ返したりするものとする。
【００１０】
図１に示す携帯型情報システム１は、情報装置本体１ａと通信部１ｂからなる２つに分離した構造体により構成される。  
情報装置本体１ａと通信部１ｂは着脱可能なケーブル１３（情報伝搬ライン１１と制御信号ライン１２を含む）により電気的に接続されている。情報装置本体１ａは、入力部２と、ＲＦＩＤ処理部３と、記憶部５と、制御部６と、外部通信部７と、表示部８と、音声入出力部９及びストレージインタフェース１０と、コネクタ１７とからなる構成部位を備えている。制御部６は、入力部２、ＲＦＩＤ処理部３、記憶部５、外部通信部７、表示部８、音声入出力部９及びストレージインタフェース１０に接続して、個々に制御する。
【００１１】
一方、通信部１ｂは、アンテナ４、スイッチ１５及びＩＤ情報格納部１４を備えている。アンテナ４は、ＲＦＩＤ処理部３と情報伝搬ライン１１により接続され、スイッチ１５及びＩＤ情報格納部１４は、制御部６と制御信号ライン１２により接続されている。  スイッチ１５は、情報装置本体１ａへの動作指示及び情報装置本体１ａが行なう処理の指示情報を入力し、各指示情報の入力を受け付けるとともに受け付けた指示情報の内容を制御部６に送出する。
【００１２】
情報装置本体１ａの入力部２は、複数の入力キー等やタッチパネルを有し、ユーザーの操作により本システムに関する動作指示又はその処理の指示情報が入力され、それらの指示を制御部６に送出する。
【００１３】
ＲＦＩＤ処理部３は、制御部６の制御に基づき、アンテナ４から所定周波数の電波を情報記憶媒体となるＲＦＩＤタグ１６に送信する。ＲＦＩＤタグ１６は、受信した電波による駆動電源を生成してタグ内部に設けられている集積回路（図示せず）を起動させる。ＲＦＩＤタグ１６から無線信号として発信された識別情報を含む各種情報をアンテナ４で受信する読み取りを行い、それらの各種情報を制御部６に送出する。また、アンテナ４からＲＦＩＤタグ１６へ制御部６に指示された書き込み情報を送信して、タグ内部に設けられている記憶部（図示せず）に書き込みを行う。これらのＲＦＩＤタグ１６に対する読み取り処理及び書き込み処理をＲＦＩＤ処理とし、また制御部６からの指示信号や情報をやり取りする際に、ＲＦＩＤタグ１６に適合させるための信号処理も含むものとする。
【００１４】
記憶部５は、処理プログラム等の各種データが予め記憶されたＲＯＭ（Read Only Memory）と、各処理の演算パラメータ、ＲＦＩＤタグ１６から読み取られた各種情報を記憶するＲＡＭ（Random Access Memory）とを有している。
【００１５】
制御部６は、記憶部５に記憶された処理プログラムを展開して実行するＣＰＵ（Central Processing Unit）を備え、入力部２、ＲＦＩＤ処理部３、記憶部５、外部通信部７、表示部８、音声入出力部９及びストレージインタフェース１０に対する各処理または動作を制御する。この場合、制御部６は、これらの各構成部位に入出力される情報について所定の入出力制御を行い、且つこの情報に対して所定の情報処理を行う。
【００１６】
また、制御部６は、ＲＦＩＤタグ１６から無線送信された応答信号の受信状態に基づいて、アンテナ４に対する送信電力値のうち送信電圧値を制御する。なお、制御部６は、外部通信部７を介して、ＲＦＩＤ処理部３から入力された識別情報等を外部機器例えば、ホストコンピュータ（図示せず）に送出する。その後、そのホストコンピュータによって処理された情報は、外部通信部７を通じて受信してもよい。この外部通信部７は、ＲＳ２３２Ｃ、ＵＳＢ、またはＩＥＥＥ１３９４等の外部通信用インターフェース、またはＩｒＤＡ規格に準拠した赤外線通信インターフェース等を備え、外部機器との情報通信を行う。
【００１７】
表示部８は、液晶表示装置等による表示画面を有し、制御部６の制御に基づき、ＲＦＩＤ処理に関する情報や入力指示を表示出力する。表示部８に表示される情報としては、例えば、読み取り処理の完了及び書き込み処理の完了を示す情報の他、読み取られた識別情報やＲＦＩＤタグ１６に書き込まれる書き込み情報等がある。また表示部８は、情報装置本体１ａや通信部１ｂの処理動作に関するエラーが発生した場合に、制御部６の制御に基づき、このエラーを報知する所定のエラー表示を表示出力してもよい。
【００１８】
音声入出力部９は、マイクロフォン、スピーカー、音声信号処理部等で構成され、制御部６の制御に基づき、外部から入力された音声情報を処理した後に制御部６に送出する。また制御部６から出力された音声情報を再生処理して、スピーカーから音声として外部に出力する。なお、音声入出力部９は、各処理の開始または完了を報知する所定の報知音を出力してもよい。また、音声入出力部９は、情報装置１に処理動作に関するエラーが発生した場合に、所定の報知音を表示部８によるエラー表示と共に出力してもよい。
【００１９】
ストレージインタフェース１０は、外部からスマートメディア、メモリスティック、マルチメディアカード又はＳＤメモリカード等の着脱可能な記憶媒体が装着される。制御部６の制御に基づき、装着された記憶媒体に記憶されている情報の読み出し又は、所定の情報を記憶媒体に記録することが行われる。
【００２０】
一方、通信部１ｂのアンテナ４は、ＲＦＩＤ処理部３の制御に基づき、通信エリア内に存在するＲＦＩＤタグ１６との間において、所定周波数の電波を送受信する。つまり、アンテナ４は、ＲＦＩＤ処理部３から入力された情報や指示信号から所定の無線信号（電波）を生成してＲＦＩＤタグ１６に発信する。また、アンテナ４は、ＲＦＩＤタグ１６から送信された応答無線信号（電波）を受信し、受信した応答無線信号（電波）に対応する電気信号を生成してＲＦＩＤ処理部３に送出する。アンテナ４における送信電力値は、ＲＦＩＤタグ１６から送信された応答無線信号の受信状態（生成した電気信号値）を元に、制御部６によって制御される。即ち、アンテナ４の送信電力値によりＲＦＩＤタグ１６から応答される無線信号の強弱が発生し、読み取りエラーを防止するためにある閾値以上の電気信号が生成されなければならないため、制御を行う必要がある。
【００２１】
また、アンテナ４の送信電力値を制御することにより、アンテナ４における増幅処理の増幅度が制御されることになり、この結果、アンテナ４から送信される読み取り可能なエリア（応答要求電波の送信エリア）が制御される。言い換えると、アンテナ４の送信電力値の大きさにより送信エリアが変化するため、使用する電磁波の周波数帯域が同じであれば、電波法で定められた許容範囲内で送信電力値が大きくなるほど、ＲＦＩＤタグ１６に対する読み取り可能なエリアが拡大する。
【００２２】
ＩＤ情報格納部１４には、通信部１ｂに対する識別信号となるＩＤ情報（シリアル番号、アンテナ形状情報、アンテナ特性測定結果及び通信部１ｂに設けられたヒューマンインターフェースの種類等）が記録されており、ＥＥＰＲＯＭやフラッシュＲＯＭ等で構成されている。このＩＤ情報は、通信部１ｂのケーブル１３の端子が情報装置本体１ａのコネクタ１７に差し込まれた際に制御部６に読み込まれる。制御部６は、このＩＤ情報による照合を行う。この照合により例えば、情報装置本体１ａ及び通信部１ｂに設定されているＩＤが不一致又は、ＩＤの設定が無かった場合、または適合するアンテナが組み込まれた通信部１ｂでなかった場合には、制御部６は、通信部１ｂが使用することができない旨の警告（表示等）を行い、制御部６から通信部１ｂに指示を出さず、また通信部１ｂから制御部６へ与えられた情報はキャンセルされる。
【００２３】
またＩＤ情報による照合において、アンテナ形状情報を用いて使用する通信部１ｂに組み込まれているアンテナ形状を判別する。この判別結果により、表示部８には、接続された通信部１ｂを使用した場合のＲＦＩＤタグ１６の読み取り可能距離、書き込み可能距離の目安が表示され、操作者へどの程度ＲＦＩＤタグ１６に近づける必要かあるかを知らしめることもできる。又、ヒューマンインターフェースの種類も制御部６に読み込まれて、制御部６の処理に利用される。
【００２４】
さらにＩＤ情報格納部１４は、制御部６によって、所望する情報を追加することも可能である。例えば、通信部１ｂにおける使用回数（応答数）の情報及び、アンテナ４やスイッチ１５が故障しているか否かの故障情報等がある。つまり、前回使用時に全くＲＦＩＤタグ１６から記憶している各種情報が読み取られなかった場合には、ＩＤ情報格納部１４へその旨（読み取り不良）を記録しておくことにより、次回に使用する人が、通信部１ｂに不具合が発生していると判断する迄の時間を短縮させることができる。
【００２５】
このように構成された携帯型情報システムによる読み取り処理について説明する。
【００２６】
まず、情報装置本体１ａのコネクタ１７に通信部１ｂのケーブル１３の端子が差し込こまれると、ＩＤ情報による照合が行われ、使用可能状態に初期設定される。次に、ＲＦＩＤ処理部３は、制御部６の制御に基づき、ＲＦＩＤタグ１６における識別情報を取得するために、ＲＦＩＤタグ１６に対して起動するために必要な無線信号（起動用電波）をアンテナ４から発信してＲＦＩＤタグ１６を起動させる。その後、起動したＲＦＩＤタグ１６は、記憶している各種情報を無線信号として発信する。発信された各種情報（無線信号）をアンテナ４で受信し、電気信号に変換（復調）した後、ＲＦＩＤ処理部３に送出される。ＲＦＩＤ処理部３は、ＲＦＩＤタグ１６に記録された識別情報等を取得する。ＲＦＩＤ処理部３は、取得した識別情報等を制御部６に送出して、読み取り処理を終了する。
【００２７】
次に、書き込み処理について説明する。  
ＲＦＩＤ処理部３は、制御部６の制御に基づき、ＲＦＩＤタグ１６に対して情報を書き込むために、ＲＦＩＤタグ１６に情報の書き込み指示信号をアンテナ４から送出する。次に、記憶部５から読み出された情報等（電気信号）を必要に応じて変調し、アンテナ４から無線信号として発信して、ＲＦＩＤタグ１６に対して非接触による書き込みを行い、書き込み処理を終了する。ここで、読み取り処理や書き込み処理は制御部６の制御に基づき、ＲＦＩＤ処理部３が必要な処理を行なうが、読み取り処理や書き込み処理の開始を指示するのは、制御部６で動作しているアプリケーションソフトであっても、操作者による入力部２の入力キーであってもよい。また操作者は、通信部１ｂを手に持ち、ＲＦＩＤタグ１６に近づけてからスイッチ１５を操作して、制御部６に読み取り処理や書き込み処理の開始を指示することもできる。
【００２８】
さらにＩＤ情報格納部１４によるＩＤ情報による接続照合を行うことにより、情報装置本体１ａと通信部１ｂの接続関係が明確化され、間違った使用や接続を防止することができる。さらに、法規により規定された電波による通信を遵守しつつ実施することができる。
【００２９】
次に図２及び図３を参照して、前述した第１の実施形態に係る携帯型情報システムの具体的な構成例について説明する。  
図２は、携帯型情報システム１の情報装置本体１ａの全体構成を例示する分解斜視図、図３は、携帯型情報システム１の通信部１ｂの全体構成を例示する分解斜視図である。尚、この携帯型情報システム１の構成部位において、図１に示した構成部に相当する構成部位には同じ参照符号を付して詳細な説明は省略する。        
情報装置本体１ａは、樹脂等からなる上部ハウジング２２及び下部ハウジング２１と、これらの間に嵌装されるガスケット部材２３とによって、筐体が形成されている。ガスケット部材２３は、弾性部材を用いて環状に形成されており、上部ハウジング２２と下部ハウジング２１とを係合する際に、それぞれの係合部分に設けられた溝部にはめ込まれて弾性変形し、上部ハウジング２２と下部ハウジング２１との間を略気密に嵌合させる。また、図２に示すように、ガスケット部材２３は、下部ハウジング２１に形成された穴部３３に対応した開口部３５を備えた構造であり、後述する操作スイッチ３４と穴部３３との間に生じる隙間も埋めている。
【００３０】
上部ハウジング２２は、画像表示を行うための表示窓２７が開口され、識別情報等の入力を行なうための複数のボタン２６が設けられている。この表示窓２７には、液晶モジュール２５の表示画面が嵌め込まれることによって表示部８として機能する。この液晶モジュール２５には、図示しないタッチパネルが画面表面上を貼り付けてあり、図示しないペンとの組合せで入力部２として機能させることもできる。また、ボタン２６も、後述する入力スイッチ２８と連動することで入力部２として機能する。
【００３１】
下部ハウジング２１は、底部にバッテリ収容部２９が形成され、側面部に前述の穴部３３が形成された構造を有する。このバッテリ収容部２９は、情報装置本体１ｂの各構成要素の駆動電力を供給するバッテリ３０を収容するためのものである。バッテリ収容部２９の開口部には蓋部３１が嵌め込まれる構成となっている。蓋部３１は、バッテリ３０を収容した状態で開口部にはめ込まれることによってバッテリ３０を外部から保護する機能を有している。
【００３２】
穴部３３は、操作スイッチ３４をはめ込むためのものである。操作スイッチ３４は、ＲＦＩＤ処理の指示情報を入力する入力部２を構成する。例えば、操作者が操作スイッチ３４を押した場合に、ＲＦＩＤ処理モードが選択され、操作スイッチ３４を押す回数に応じて、読み取り処理及び書き込み処理が選択される。操作者が操作スイッチ３４を押す回数に対応して下部ハウジング２１内の底部に設けられた制御スイッチ３２が連動するように設けられ、制御スイッチ３２の連動によって、入力された指示情報の内容が制御部６に入力される。
【００３３】
上部ハウジング２２、下部ハウジング２１及びガスケット部材２３によって形成される筐体内には、プリント配線基板等によって構成される回路基板２４が配置されている。回路基板２４上には、ボタン２６に対応した入力スイッチ２８が実装される。入力部２は、ボタン２６と入力スイッチ２８、前述した操作スイッチ３４と制御スイッチ３２、そして液晶モジュール２５の表示画面上に貼り付けたタッチパネル２５ａとペン（図示せず）によって構成される。
【００３４】
また、液晶モジュール２５は、上部ハウジング２２に開口された表示窓２７から表示画面が露出するように回路基板２４上に位置決めされる。また、他にも回路基板２４上（裏面側も含む）には、図示しないＣＰＵやメモリ等の電子回路群が配置されており、この電子回路群によって、前述したＲＦＩＤ処理部３、記憶部５、制御部６、外部通信部７、表示部８及び音声入出力部９が構成されている。またＲＦＩＤ処理部３は、後述する通信部１ｂに設けられるアンテナ４と接続する回路基板２４上に形成される所定の電子回路によって形成される。
【００３５】
図３に示す携帯型情報システム１の通信部１ｂは、図示しない上部ハウジングと、下部ハウジング４１とによって筐体が形成されている。下部ハウジング４１は、側面部に穴部４３が開口された構造を有する。また、下部ハウジング２１ｂの底部には、例えばループアンテナからなるアンテナ４が配置されており、アンテナ４はケーブル１３に接続される。また、ケーブル１３の先端部分には、図示しないコネクタ端子が設けられており、情報装置本体１ａのコネクタ１７に差し込むことで、アンテナ４はＲＦＩＤ処理部３に電気的に接続される。このケーブル１３は、作業の邪魔にならないようにカール形状を有している。但し、ケーブル１３は、カール形状を有している必要は必ずしも無く、カールしていない通常のケーブルであっても、十分操作者の利便性を確保することが可能である。
【００３６】
穴部４３には、操作スイッチ４２が装嵌され、図１に示したＲＦＩＤ処理の指示情報を入力するためのスイッチ１５を構成する。例えば、操作者が操作スイッチ４２を押した場合、ＲＦＩＤ処理モードが選択され、操作スイッチ４２を押す回数に応じて、読み取り処理及び書き込み処理が切り替わり選択される。操作者が操作スイッチ４２を押す回数に対応して、下部ハウジング４１内の底部に設けられた制御スイッチ４４が連動するよう設けられており、制御スイッチ４４の連動により入力された指示情報の内容が制御信号ライン１２を通じて、情報装置本体１ａの制御部６に入力される。
【００３７】
以上説明したように、本実施形態の携帯型情報システムによれば、アンテナが設けられた通信部の筐体内に情報装置本体１ａにおけるＲＦＩＤタグ１６に対する読み取り処理や書き込み処理を指示できるため、従来のようなＲＦＩＤタグ１６と情報装置本体１ａの入力キーや表示部８を見比べながら操作する必要がなくなり操作が手軽になり、操作者の利便性が増すことになる。ここで、スイッチ１５は、読み取り処理や書き込み処理の開始指示以外にも使用でき、操作者の利便性をさらに増すことも可能である。
【００３８】
次に、第２の実施形態に係る携帯型情報システムにおけるヒューマンインターフェース機能を搭載する通信部について説明する。図４は、第２の実施形態における通信部の概略構成を示すブロック図である。  
本実施形態は、通信部６０にＲＦＩＤタグ１６に対する読み取り処理及び書き込み処理の際の読み取り結果又は書き込み結果を告知する告知手段を設けた構成例である。本実施形態において、情報装置本体１ａは前述した第１の実施形態と同等であり、通信部６０の構成と動作が異なっており、情報装置本体１ａ及び通信部６０の構成部位で同等の構成部材には同じ参照符号を付して、その説明を省略する。
【００３９】
この実施形態は  通信部６０内には、ＲＦＩＤタグ１６に記憶される識別情報を含む各種情報の読み出し及び書き込みの無線通信を行うためのアンテナ４と、情報装置本体１ａをＩＤ情報により接続の可不可を識別するためのＩＤ情報格納部１４と、読み取り結果又は書き込み結果を光により報知する発光ダイオード（ＬＥＤ）５１を設けている。
【００４０】
このＬＥＤ５１は、ケーブル１３を介して制御部６と接続され、制御部６の制御に従って、ＲＦＩＤタグ１６に対する読み取りや書き込みが成功した場合には点灯させて、失敗した場合には点滅させる。また、赤色と緑色の２つのＬＥＤを並べて設けて、読み取りや書き込みが成功した場合には、緑色ＬＥＤが発光し、失敗し場合には赤色ＬＥＤが発光するように構成してもよい。
【００４１】
従って、本実施形態によれば、読み取り処理や書き込み処理の際に、表示部８に表示される読み取りや書き込みの結果表示を見て確認しなくても、ＲＦＩＤタグ１６に近接させている通信部１ｂのＬＥＤ５１を見れば確認できるため、ＲＦＩＤタグ１６と情報装置本体１ａを見比べながら操作する必要がなくなる。よって、操作者の利便性が増すことになる。この第２の実施形態は、連続して読み取り処理や書き込み処理を行う場合等には特に好適する。
【００４２】
また、本実施形態では、告知手段としてＬＥＤ５１による発光表示であったが、他にも例えば、ブザーを通信部６０内に設け、ＲＦＩＤタグ１６の読み取り処理や書き込み処理が成功した場合にブザーを鳴らしても同様の効果が得られる。また、ブザー音に限らず、メロディーが流れてもよい。勿論、成功したときと失敗したときのブザー音を替えることにより、成功と失敗の両方を判断することもできる。さらに、ＬＥＤとブザーを組み合わせて告知手段を構成してもよい。
【００４３】
次に、第３の実施形態に係る携帯型情報システムにおけるヒューマンインターフェース機能を搭載する通信部について説明する。図５は、第３の実施形態における通信部の概略構成を示すブロック図である。  
本実施形態は、前述した告知手段として、バイブレーション５２を設けた構成例である。本実施形態において、情報装置本体１ａは前述した第１の実施形態と同等であり、通信部６１の構成と動作が異なっており、情報装置本体１ａ及び通信部６１の構成部位で同等の構成部材には同じ参照符号を付して、その説明を省略する。
【００４４】
本実施形態は、通信部６１内には、情報の読み出し及び書き込みを行うためのアンテナ４と、情報装置本体１ａをＩＤ情報により接続の可または不可を識別するためのＩＤ情報格納部１４と、読み取り結果又は書き込み結果を振動により報知するバイブレーション部５２を設けている。
【００４５】
このバイブレーション部５２は、ケーブル１３を通じて制御部６と接続されており、制御部６の制御に従い、ＲＦＩＤタグ１６の読み取り処理や書き込み処理が成功した場合に予め定めた形態の振動を発する。また、異なる２つの振動を行うバイブレーション部５２を設けて、読み取りや書き込みが成功した場合には、長い周期の振動を発生させ、失敗し場合には短い周期の振動を発生させて、操作者に読み取りや書き込みが成功と失敗が区別して分かるように構成してもよい。
【００４６】
従って、本実施形態によれば、読み取り処理や書き込み処理の際に、表示部８に表示される読み取りや書き込みの結果表示を見て確認しなくても、ＲＦＩＤタグ１６に近接させている通信部６１が振動すれば確認できるため、ＲＦＩＤタグ１６と情報装置本体１ａを見比べながら操作する必要がなくなる。よって、操作者の利便性が増すことになる。
【００４７】
次に、第４の実施形態に係る携帯型情報システムにおける通信部について説明する。図６は、第４の実施形態におけるヒューマンインターフェース機能を搭載する通信部の概略構成を示すブロック図である。  
本実施形態は、通信部６２から情報装置本体１ａの電源がオン・オフできる電源スイッチ５３を設けた構成である。本実施形態において、情報装置本体１ａは前述した第１の実施形態と同等であり、通信部６２の構成と動作が異なっており、情報装置本体１ａ及び通信部６２の構成部位で同等の構成部材には同じ参照符号を付して、その説明を省略する。
【００４８】
本実施形態は、通信部６２内には、アンテナ４とＩＤ情報格納部１４と、情報装置本体１ａの電源がオン・オフできる電源スイッチ５３を設けている。この電源スイッチ５３は、ケーブル１３を介して制御部６と接続されており、情報装置本体１ａの電源をオン又はオフする際には、情報装置本体１ａの入力部２の入力キーを操作する必要はなく、電源スイッチ４５ｂを操作すればよいので、操作者の利便性が増すことになる。
【００４９】
次に、第５の実施形態に係る携帯型情報システムにおける通信部について説明する。図７は、第５の実施形態におけるヒューマンインターフェース機能を搭載する通信部の概略構成を示すブロック図である。本実施形態において、情報装置本体１ａは前述した第１の実施形態と同等であり、通信部６３の構成と動作が異なっており、情報装置本体１ａ及び通信部６３の構成部位で同等の構成部材には同じ参照符号を付して、その説明を省略する。  
本実施形態の通信部６３内には、アンテナ４とＩＤ情報格納部１４と、前述した第１の実施形態におけるＲＦＩＤ処理の指示情報を入力するためのスイッチ１５と、前述した第２の実施形態における読み取り結果又は書き込み結果を光により報知する発光ダイオード（ＬＥＤ）５１とを設けている。
【００５０】
この通信部６３のスイッチ１５とＬＥＤ５１は、ケーブル１３を介して制御部６と接続されている。操作者は、スイッチ１５を操作し、制御部６に読み取り処理や書き込み処理の開始を指示することもできる。また制御部６の制御に基づき、ＲＦＩＤタグ１６の読み取り処理や書き込み処理が成功した場合には、ＬＥＤ５１が点灯する。
【００５１】
従って、通信部６３をＲＦＩＤタグ１６に近づけて、読み取り処理や書き込み処理を行なう際には、情報装置本体１ａの入力部２の入力キーを操作する必要はなく、スイッチ１５を操作すればよい。さらにＬＥＤ５１による確認を行うことで、表示部８に表示される処理結果を確認する必要はなく、ＲＦＩＤタグと情報装置本体１ａを見比べながら操作する必要がなくなる。よって、操作者の利便性が増すことになる。
【００５２】
尚、構造体１ｂに設ける操作者のヒューマンインターフェース機能は、実施の形態６で説明した二つである必要はなく任意の二つを選択してもよい。又、三つ以上の機能を設けるように設定してもよい。
【００５３】
次に、第６の実施形態に係る携帯型情報システムにおける通信部について説明する。図８は、第６の実施形態における通信部の概略構成を示すブロック図である。
【００５４】
本実施形態は、通信部６４にＲＦＩＤタグ１６の読み取り処理及び書き込み処理が失敗無く確実に実施できるように、読み取る方向及び書き込む方向を指示するアシスト手段を設けた構成である。本実施形態において、情報装置本体１ａは前述した第１の実施形態と同等であり、通信部６４の構成と動作が異なっており、情報装置本体１ａ及び通信部６４の構成部位で同等の構成部材には同じ参照符号を付して、その説明を省略する。
【００５５】
本実施形態の通信部６４内には、アンテナ４とＩＤ情報格納部１４と、読み取る方向及び書き込む方向を指示するレーザ照射部５４とを設けている。このレーザ照射部５４は、ケーブル１３を介して制御部６と接続されている。制御部６の制御に従って、アンテナ４から発せられる無線信号（電波）に対して、最も適正に読み取りしやすい読み取り方向又は、最も適正に書き込みしやすい書き込み方向がレーザ光による線分（方向マーカ）で指示される。従って、操作者は、ＲＦＩＤタグ１６をレーザ光に当てるような位置関係とすればよく、操作者の利便性が増すことになる。
【００５６】
前述した第６の実施形態における通信部の形態としてペン形形状を適用することができる。図９（ａ）乃至（ｃ）には、ペン形通信部７１の概略的な構成を示す。
【００５７】
このペン形通信部７１は、樹脂シート上にパターン形成され、通信部内曲面に沿って曲げられたアンテナ７２と、外周面に取り付けられた読み取る方向及び書き込む方向を指示するレーザ照射部７３が設けられている。ペン形通信部７１は、情報装置本体１ａの液晶モジュール２５上に貼り付けたタッチパネル２５ａの入力手段として用いることができる。
【００５８】
このペン形通信部７１を用いて、ＲＦＩＤタグ１６に対して識別情報を含む各種情報の読み取り処理及び書き込み処理を行う場合について説明する。
【００５９】
図９（ｂ）に示すように、レーザ照射部５４から読み取る方向及び書き込む方向を指示するレーザ光をＲＦＩＤタグ１６に照射する。この時、ＲＦＩＤタグ１６には、最も適正に読み取りしやすい読み取り方向又は、最も適正に書き込みしやすい書き込み方向が印字又は表示されている。
【００６０】
操作者は、レーザ照射部５４によるレーザ光の方向マーカを印字されたＲＦＩＤタグ１６に印刷された方向に合わせることにより、最も適正な読み取り方向又は、最も適正な書き込み方向に容易に合わせることができ、操作者の利便性が増すことになる。
【００６１】
また、図９（ｃ）においては、アシスト手段をレーザ照射部に代わって、ＬＥＤ７４により照明光で最も適正に読み取りしやすい読み取り方向又は、最も適正に書き込みしやすい書き込み方向を示せば同様の効果を得ることができる。
【００６２】
また、ＬＥＤ７４を使用した場合、ＲＦＩＤタグ１６を照らす照明器具としても利用することが可能であり、周囲が暗い環境であれば、容易にＲＦＩＤタグ１６を探し出して、正確にＲＦＩＤタグ１６に対して読み取り処理又は書き込み処理を行うことができる。また、前述した第１乃至第５の実施形態における通信部の形態としてもペン形形状を容易に適用することができることはいうまでもない。
【００６３】
尚、前述した各実施形態においては、携帯型情報システムを情報装置本体（第１の構成体）と通信部（第２の構成体）の２つに分け、アンテナが配置された１つの通信部内にヒューマンインターフェース手段を備えている例について説明しているが、この構成に限定されるものではない。例えば、アンテナが配置されている通信部内に少なくとも１つのヒューマンインターフェース手段を設け、さらに情報装置本体と通信部とも別の第３の構成体にヒューマンインターフェース手段を設けた構成であってもよい。つまり、携帯型情報システムは、情報装置本体と通信部（ヒューマンインターフェース手段を含む）と第３の構造体（ヒューマンインターフェース手段を含む）からなる。具体例としては、音声入力出力部に、入力部として機能する例えばマイクロフォン及びイヤホンを搭載するヘッドホンが含まれる構成であれば、これをヒューマンインターフェース手段を有する第３の構造体とする。このように、情報装置本体と通信部とは、分離して用いた方が便利なヒューマンインターフェース手段については、情報装置本体及び通信部以外の第３番目以降の構造体として構成してもよい。
【００６４】
尚、本発明は以下の要旨を含んでいる。
【００６５】
（１）識別情報を含む情報を記憶する情報記憶媒体に対して、無線信号を用いて該情報の読み出し又は任意情報の書き込みを行うためのアンテナを有する第１の構造体と、
前記第１の構造体と電気的に接続し、前記アンテナから前記情報記憶媒体に電源供給用無線信号を送信し該情報記憶媒体を駆動して発信させた前記情報を該アンテナで受信させて該情報を得る又は、前記任意情報を該アンテナから発信させて該情報記憶媒体に書き込む第２の構造体と、を具備し、
前記第１の構造体は、前記第２の構造体に対する駆動制御を指示する機能又は、該第１の構造体の操作をガイドする機能を有する少なくとも１つのヒューマンインターフェース手段を備えることを特徴とする携帯型情報システム。
【００６６】
（２）前記第１の構造体は、予め接続認可を照合するためのＩＤ情報が記憶されたＩＤ情報格納部を備えて、
前記第２の構造体に前記第１の構造体を接続した際に、前記ＩＤ情報による照合で接続認可されたときのみに前記情報の読み出し及び前記任意情報の書き込みが許可されるＩＤ照合手段を有することを特徴とする前記（１）に記載の携帯型情報システム。
【図面の簡単な説明】
【００６７】
【図１】本発明の第１の実施形態に係る携帯型情報システムの概略構成を示すブロック図である。
【図２】第１の実施形態に係る携帯型情報システムにおける情報装置本体の具体的な構成例を示す分解斜視図である。
【図３】第１の実施形態に係る携帯型情報システムにおける通信部の具体的な構成例を示す分解斜視図である。
【図４】第２の実施形態に係る携帯型情報システムにおける通信部の概略構成を示すブロック図である。
【図５】第３の実施形態に係る携帯型情報システムにおける通信部の概略構成を示すブロック図である。
【図６】第４の実施形態に係る携帯型情報システムにおける通信部の概略構成を示すブロック図である。
【図７】第５の実施形態に係る携帯型情報システムにおける通信部の概略構成を示すブロック図である。
【図８】第６の実施形態に係る携帯型情報システムにおける通信部の概略構成を示すブロック図である。
【図９】第７の実施形態に係る携帯型情報システムにおける通信部の具体的な構成例を示す分解斜視図である。
【符号の説明】
【００６８】
１…携帯型情報システム、１ａ…情報装置本体（構造体）、１ｂ…通信部（構造体）、２…入力部、３…ＲＦＩＤ処理部、４…アンテナ、５…記憶部、６…制御部、７…外部通信部、８…表示部、９…音声入出力部、１０…ストレージインタフェース、１１…情報伝搬ライン、１２…制御信号ライン、１３…ケーブル、１４…ＩＤ情報格納部、１５…スイッチ。
【図１】
2007025793.tif 000003
【図２】
2007025793.tif 000004
【図３】
2007025793.tif 000005
【図４】
2007025793.tif 000006
【図５】
2007025793.tif 000007
【図６】
2007025793.tif 000008
【図７】
2007025793.tif 000009
【図８】
2007025793.tif 000010
【図９】
2007025793.tif 000011